(57)【要約】【課題】チョークコイルの温度上昇を抑えて良好なノイズ抑制機能を得ることができるチョークコイル及びマグネトロンを提供する。【解決手段】  サイドリード側チョークコイル３８のコア型インダクタ５０の端子側部分６０の内径を磁性体コア５０ｂの外径とほぼ等しくすると共に、空芯側部分６１の内径を磁性体コア５０ｂの外径より大きくして、磁性体コア５０ｂのコイル５０内に挿入されている部分のうち、端子側部分６０の内側に位置する部分の外周のみがコイル５０と接触して、それ以外の部分（すなわち空芯側部分６１の内側に位置する部分）の外周は、コイル５０と接触しないようにした。これにより、磁性体コア５０ｂの温度が従来と比較して上昇し難くなり、かくして、インダクタンスの低下を抑制してノイズ特性機能の低減を抑制することができる。【選択図】図３
2015191794.tif 000002
【特許請求の範囲】
【請求項１】
第１のコイルと、当該第１のコイル内に挿入された磁性体コアとでなるコア型インダクタと、
前記第１のコイルと直列接続される第２のコイルでなる空芯型インダクタとを具備し、
前記コア型インダクタの前記第１のコイルは、
その一部分が、前記磁性体コアと接触しないよう、内径が前記磁性体コアの外径より大きくなっていて、残りの部分が、前記磁性体コアと接触するよう、内径が前記磁性体コアの外径とほぼ等しくなっていること
を特徴とするチョークコイル。
【請求項２】
前記コア型インダクタの前記第１のコイルは、
前記空芯型インダクタ側となる一部分が、前記磁性体コアと接触しないよう、内径が前記磁性体コアの外径より大きくなっていて、残りの部分が、前記磁性体コアと接触するよう、内径が前記磁性体コアの外径とほぼ等しくなっていること
を特徴とする請求項１に記載のチョークコイル。
【請求項３】
上記コア型インダクタの前記第１のコイルは、
ワイヤを密巻きしたものであること
を特徴とする請求項１に記載のチョークコイル。
【請求項４】
上記空芯型インダクタの前記第２のコイルは、
前記コア型インダクタの前記空芯側インダクタ側となる一部分の内径と、同一の内径でなること
を特徴とする請求項２に記載のチョークコイル。
【請求項５】
請求項１乃至４のいずれかに記載のチョークコイルを有する
ことを特徴とするマグネトロン。
【発明の詳細な説明】
【技術分野】
【０００１】
本発明は、チョークコイルに関するものであり、特に、マグネトロンのフィルターボックス内に配置するチョークコイルに係るものである。
【背景技術】
【０００２】
マグネトロンは、発振部と入力部と出力部とを有している。発振部は、陽極円筒とこの内側に配置された複数のベインとからなる陽極部と、陽極円筒の中心軸、すなわち管軸に配置されたフィラメントの陰極部と、陽極円筒の管軸方向の両端面に配置された一対のポールピースとで構成されている。
【０００３】
入力部は、発振部の一方のポールピースを貫通して延びる陰極リードを支持するステムを有し、出力部は、発振部の他方のポールピースを貫通して延びるアンテナを有している。一対のポールピースは、それぞれ永久磁石で挟まれ、陽極部と陰極部との間の作用空間に磁束を収束させる。
【０００４】
このような構成でなるマグネトロンは、入力部から陰極部にフィラメント電流を供給し、陽極部と陰極部との間に電圧を印加すると、マイクロ波発振し、出力部からマイクロ波を出力する。一般的な電子レンジ用のマグネトロンの場合、発振周波数は２４５０ＭＨｚである。発振出力の一部は、入力部から漏洩して外部機器の障害となる為、入力部をフィルターボックスでシールドして電波漏洩を防止している。また、発振出力は、２４５０ＭＨｚの基本波だけでなく、電子擾乱などによって広い帯域にわたる周波数の電波を発振しており、フィルターボックスはこれらの電波の漏洩も阻止している。
【０００５】
フィルターボックスは、外部電源に接続され、外部入力端子を兼ねる一対の貫通コンデンサを有している。また、フィルターボックス内には、一対の陰極端子と一対の貫通コンデンサとの間にそれぞれ接続された一対のチョークコイルが配置されている。
【０００６】
各チョークコイルは、例えば、図４に示すように、磁性体コア１００ａの外径と同程度の巻き径で銅線を巻回したコイル１００ｂに磁性体コア１００ａを挿入して固定したコア型インダクタ１００と、磁性体コア１００ａの外径と同程度の巻き径で銅線を巻回した空芯コイル１０１ａでなりコア型インダクタ１００よりも巻き間隔が広い空芯型インダクタ１０１とを直列接続したものとなっている。
【０００７】
フィルター回路を構成するチョークコイルは、陰極部から漏洩するマイクロ波を熱として消費する。また、チョークコイルは、過熱で磁性体コアの透磁率が低下するとインダクタンスが低下し、マイクロ波の漏洩が増大する。さらに、空芯型インダクタは、漏洩波の最大成分である２４５０ＭＨｚの基本波の定在波の最大振幅部をこのインダクタ内に位置させて減衰させ、コア型インダクタに至らないようにし、コア型インダクタの負担を軽減している（例えば特許文献１参照）。
【先行技術文献】
【特許文献】
【０００８】
【特許文献１】特開２０１３−７７５１６号公報
【発明の概要】
【発明が解決しようとする課題】
【０００９】
実際、チョークコイルは、マグネトロンの動作中、銅線に電流が流れてコイル１００ｂが発熱することにともなって、コイル１００ｂと接触している磁性体コア１００ａの温度が上昇する。特に、フィルターボックスにインバータ電源が接続されている場合、チョークコイルの銅線には高周波の電流が流れる為、磁性体コア１００ａの温度が高くなり易い。
【００１０】
そして、チョークコイルは、上述のように、磁性体コア１００ａの温度が上昇して磁性体コア１００ａの透磁率が低下すると、インダクタンスが低下してノイズ抑制機能が低減する。特に、磁性体コア１００ａの温度がキュリー温度を超えるまで上昇してしまうと、磁性体コア１００ａから磁性が消えてノイズ抑制機能が著しく低下してしまう。
【００１１】
このように、マグネトロンのチョークコイルは、磁性体コアの温度上昇にともなってノイズ抑制機能が低減してしまう為、良好なノイズ抑制機能を得る為には、如何にして磁性体コアの温度上昇を抑えるかが重要となってくる。
【００１２】
そこで、本発明は、上記課題を解決する為になされたものであり、温度上昇を抑えて良好なノイズ抑制機能を得ることのできるチョークコイルを提供することを目的とする。
【課題を解決するための手段】
【００１３】
上記目的を達成する為に、本発明に係るチョークコイルは、第１のコイルと、当該第１のコイル内に挿入された磁性体コアとでなるコア型インダクタと、前記第１のコイルと直列接続される第２のコイルでなる空芯型インダクタとを具備し、前記コア型インダクタの前記第１のコイルは、前記空芯型インダクタ側となる一部が、前記磁性体コアと接触しないよう、内径が前記磁性体コアの外径より大きくなっていて、残りの部分が、前記磁性体コアと接触するよう、内径が前記磁性体コアの外径とほぼ等しくなっている、ことを特徴とする。
【００１４】
また、本発明に係るマグネトロンは、第１のコイルと、当該第１のコイル内に挿入された磁性体コアとでなるコア型インダクタと、前記第１のコイルと直列接続される第２のコイルでなる空芯型インダクタとを具備し、前記コア型インダクタの前記第１のコイルは、前記空芯型インダクタ側となる一部が、前記磁性体コアと接触しないよう、内径が前記磁性体コアの外径より大きくなっていて、残りの部分が、前記磁性体コアと接触するよう、内径が前記磁性体コアの外径とほぼ等しくなっているチョークコイルを有する。
【発明の効果】
【００１５】
本発明によれば、チョークコイルの温度上昇を抑えて良好なノイズ抑制機能を得ることができるチョークコイル及びマグネトロンを提供できる。
【図面の簡単な説明】
【００１６】
【図１】本発明に係るマグネトロンの一実施の形態における全体の縦断面図である。
【図２】本発明に係るマグネトロンの一実施の形態におけるフィルターボックスの横断面図である。
【図３】本発明に係るマグネトロンの一実施の形態におけるチョークコイルの側面図及び縦断面図である。
【図４】従来のマグネトロンにおけるチョークコイルの側面図及び縦断面図である。
【発明を実施するための形態】
【００１７】
本発明に係るマグネトロンの一実施の形態を、図面を参照して説明する。尚、以下の実施の形態は、単なる例示であり、本発明はこれに限定されるものではない。
【００１８】
図１は、本実施の形態のマグネトロン１の概略を示す縦断面図である。このマグネトロン１は、２４５０ＭＨｚ帯の基本波を発生する電子レンジ用のマグネトロンである。
【００１９】
マグネトロン１は、マグネトロン本体２と、フィルターボックス３とを有している。マグネトロン本体１は、発振部４と入力部５と出力部６とで構成され、発振部４の管軸ｍ方向の一端側に入力部５が設けられ、他端側に出力部６が設けられている。
【００２０】
尚、管軸ｍは、マグネトロン本体２の中心軸である。また、以下の説明では、マグネトロン本体２の管軸ｍ方向の一端側を下端側及び入力側と定義すると共に、他端側を上端側及び出力側と定義する。
【００２１】
発振部４は、陽極部７と陰極部８とで構成され、陽極部７は、陽極円筒９と、この陽極円筒９の内周面から管軸ｍに向かって突出した複数個のベイン１０とを有している。
【００２２】
陰極部８は、フィラメント１１と、一対のエンドハット１２、１３と、陰極センターリード１４と、陰極サイドリード１５とを有している。フィラメント１１は、管軸ｍ上に配設されていて、エンドハット１２、１３は、フィラメント１１の上下両端部に設けられている。
【００２３】
陰極センターリード１４は、上端がエンドハット１２に固定され、当該エンドハット１２を介してフィラメント１１と接続されている。陰極サイドリード１５は、上端がエンドハット１３に固定され、当該エンドハット１３を介してフィラメント１１と接続されている。また、陰極センターリード１４と陰極サイドリード１５は、それぞれその下端が、マグネトロン本体２の下端側に位置する入力部５に向かって延びている。
【００２４】
ベイン１０は、その先端である遊端が、フィラメント１１との間に所定の間隔を保つように配設されている。ベイン１０の遊端とフィラメント１１との間に形成される環状空間が作用空間となっている。
【００２５】
陽極円筒９の上下両端部には、略漏斗状（略すり鉢状）の一対のポールピース１６、１７が、作用空間を管軸ｍ方向に挟んで対向して設けられている。陽極円筒９の下端側に設けられている入力側のポールピース１７の下方には、フィラメント印加用電流及びマグネトロン駆動用高電圧を供給する為の入力部５が設けられている。入力部５は、陰極センターリード１４及び陰極サイドリード１５を保持するセラミックステム１８を有している。
【００２６】
入力部５は、管軸ｍ方向に延びる筒状の金属封着体１９により、陽極円筒９と真空気密に接合され、フィルターボックス３に覆われている。
【００２７】
また、陽極円筒９の上端側に設けられている出力側のポールピース１６の上方には、マイクロ波を伝送し放射する為のアンテナリード２０を有する出力部６が設けられている。
【００２８】
出力部６は、アンテナリード２０と、絶縁筒２１と、排気管２２とを有している。排気管２２は、絶縁筒２１の上端に接合されている。アンテナリード２０は、下端が複数のベイン１０のうちの１つに接続され、上端が管軸ｍに沿って上方へと延び、絶縁筒２１内を通り排気管２２に挟持され固定されている。
【００２９】
出力部６は、管軸ｍ方向に延びる筒状の金属封着体２３により、陽極円筒９と真空気密に接合されている。
【００３０】
入力側のポールピース１７の下方と出力側のポールピース１６の上方には、金属封着体１９、２３の外周側に、一対のフェライトでなる環状永久磁石２４、２５が、陽極円筒９を管軸ｍ方向に挟んで対向して設けられている。
【００３１】
陽極円筒９と、環状永久磁石２４、２５は、枠状ヨーク２６、２７により覆われている。環状永久磁石２４、２５は、ポールピース１６、１７と対向する面とポールピース１６、１７とが磁気的に結合されると共に、その反対側の面と枠状ヨーク２６、２７とが磁気的に結合されることにより形成された磁気回路によって、ベイン１０とフィラメント１１との間の作用空間に磁界を供給している。
【００３２】
マグネトロン１の構成の概略は、以上のようになっている。
【００３３】
次に、図２を用いて、フィルターボックス３とその内部の構成について、さらに詳しく説明する。
【００３４】
フィルターボックス３に覆われる入力部５は、陰極センターリード１４及び陰極サイドリード１５を保持するセラミックステム１８と、陰極センターリード１４及び陰極サイドリード１５にそれぞれ接続された一対の陰極端子３０、３１とを有している。
【００３５】
フィルターボックス３の側壁には、その側壁を貫通する２端子の貫通コンデンサ３２が取り付けられている。この貫通コンデンサ３２は、フィルターボックス３の外側に位置する２端子３３、３４と、内側に位置する２端子３５、３６とを有している。尚、内側に位置する２端子３５、３６を、以下、内側端子３５、３６とも呼ぶ。
【００３６】
一対の陰極端子３０、３１は、フィルターボックス３内のほぼ中央に位置していて、この陰極端子３０、３１と、貫通コンデンサ３３の内側端子３５、３６のそれぞれとの間には、チョークコイル３７、３８が直列接続されている。このチョークコイル３７、３８と、貫通コンデンサ３２により、フィルター回路が構成されている。
【００３７】
尚、陰極センターリード１４に接続された陰極端子３０と内側端子３５との間に接続されたチョークコイル３７を、センターリード側チョークコイル３７と呼び、陰極サイドリード１５に接続された陰極端子３１と内側端子３６との間に接続されているチョークコイル３８をサイドリード側チョークコイル３８と呼ぶ。
【００３８】
センターリード側チョークコイル３７は、銅線などのワイヤを螺旋状に隙間なく密巻きしてなる第１のコイルとしてのコイル４０ａと当該コイル４０ａ内に少なくとも一部が挿入されて固定される円柱状のフェライトなどでなる磁性体コア４０ｂとで構成されるコア型インダクタ４０と、銅線などのワイヤを螺旋状に隙間が空くよう疎巻きしてなる第２のコイルとしての空芯コイル４１ａでなる空芯型インダクタ４１とを直列接続したものである。尚、コア型インダクタ４０のコイル４０ａと、空芯型インダクタ４１の空芯コイル４１ａは、１本のワイヤで形成されている。また、ここでは、例えば、ワイヤの直径を１．０〜１．４ｍｍ、磁性体コア４０ｂの直径は、２．５〜４ｍｍ程度としている。
【００３９】
このセンターリード側チョークコイル３７は、空芯型インダクタ４１側が所定長の折り曲げ配線４２を介して陰極端子３０に接続され、コア型インダクタ４０側が内側端子３５に接続されている。
【００４０】
一方のサイドリード側チョークコイル３８も、センターリード側チョークコイル３８と同一の構成でなり、第１のコイルとしてのコイル５０ａと当該コイル５０ａ内に少なくとも一部が挿入されて固定される磁性体コア５０ｂとで構成されるコア型インダクタ５０と、第２のコイルとしての空芯コイル５１ａでなる空芯型インダクタ５１とを直列接続したものである。尚、このコア型インダクタ５０のコイル５０ａと、空芯型インダクタ５１の空芯コイル５１ａも、１本のワイヤで形成されている。
【００４１】
このサイドリード側チョークコイル３８は、空芯型インダクタ５１側が所定長の折り曲げ配線５２を介して陰極端子３１に接続され、コア型インダクタ５０側が内側端子３６に接続されている。
【００４２】
ここで、図３を用いて、サイドリード側チョークコイル３８についてさらに詳しく説明する。尚、センターリード側チョークコイル３７については、サイドリード側チョークコイル３８と同一の構成である為、説明を省略する。
【００４３】
図３（Ａ）は、サイドリード側チョークコイル３８の側面図であり、図３（Ｂ）は、サイドリード側チョークコイル３８のコア型インダクタ５０の断面図である。
【００４４】
サイドリード側チョークコイル３８のコア型インダクタ５０のコイル５０ａは、図３（Ｂ）に示すように、内側端子３６側の部分（これを端子側部分と呼ぶ）６０と、空芯型インダクタ５１側の部分（これを空芯側部分と呼ぶ）６１とでなり、端子側部分６０より空芯側部分６１の方が径が大きくなっている。また、例えば、コイル５０ａ全体が１０巻き程度だとすると、端子側部分６０は３巻き程度、空芯側部分６１は７巻き程度となっている。尚、端子側部分６０も、空芯側部分６１も、密巻きでなる。
【００４５】
コア型インダクタ５０の磁性体コア５０ｂは、所定の長さでなり、一端部分がコイル５０ａの空芯側部分６１の内側まで達して、且つ他端部分が端子側部分６０から外側に突出するようにして、コイル５０ａ内に挿入され固定されている。
【００４６】
コイル５０ａの端子側部分６０は、その内径が、磁性体コア５０ｂの外径とほぼ等しく、コイル５０内に挿入された磁性体コア５０ｂの外周に接触して、当該磁性体コア５０ｂを固定保持するようになっている。これに対して、コイル５０ａの空芯側部分６１は、その内径が、磁性体コア５０ｂの外径より大きく、コイル５０内に挿入された磁性体コア５０ｂの外周との間に一定の隙間（例えば、ワイヤの外径程度の隙間）が空くようになっていて、当該磁性体コア５０ｂとは接触しないようになっている。
【００４７】
つまり、磁性体コア５０ｂは、コイル５０内に挿入されている部分のうち、端子側部分６０の内側に位置する部分の外周のみがコイル５０と接触し、それ以外の部分（すなわち空芯側部分６１の内側に位置する部分）の外周は、コイル５０と接触しないようになっている。
【００４８】
さらに、コア型インダクタ５０と直列接続される空芯型インダクタ５１のコイル５１ａは、コア型インダクタ５０ａのコイル５０ａの空芯側部分６１と同様の内径となっている。
【００４９】
サイドリード側チョークコイル３８は、このような構成となっていて、センターリード側チョークコイル３７も、説明は省略したが、同様の構成となっている。
【００５０】
ここで、本実施の形態のサイドリード側チョークコイル３８の構成によって得られる効果について説明する。尚、この効果は、センターリード側チョークコイル３７の構成によって得られる効果と同一のものである。まず、その効果を明確にする為に、比較対象となる従来のチョークコイルについて、図４を用いて説明する。従来のチョークコイルも、本実施の形態のサイドリード側チョークコイル３８と同様、コイル１００ｂに磁性体コア１００ａを挿入して固定したコア型インダクタ１００と、空芯コイル１０１ａでなるコア型インダクタ１００とを直列接続したものである。尚、磁性体コア１００ａのサイズ、及びコイル１００ｂからの突出量などは、本実施の形態のサイドリード側チョークコイル３８と同様のものとする。
【００５１】
従来のチョークコイルでは、図４（Ｂ）に示すように、コア型インダクタ１００のコイル１００ｂの内径が、全部分で、磁性体コア１００ａの外径とほぼ等しくなっている。つまり、磁性体コア１００ａは、コイル１００ｂ内に挿入されている部分の全ての外周が、コイル１００ｂに接触するようにして固定されている。
【００５２】
このような従来のチョークコイルに対して、本実施の形態のサイドリード側チョークコイル３８は、図３（Ｂ）に示したように、コア型インダクタ５０のコイル５０ａの内径が、端子側部分６０と空芯側部分６１とで異なっている。そして、端子側部分６０の内径が磁性体コア５０ｂの外径とほぼ等しく、空芯側部分６１の内径が磁性体コア５０ｂの外径より大きくなっていることにより、磁性体コア５０ｂのコイル５０内に挿入されている部分のうち、端子側部分６０の内側に位置する部分の外周のみがコイル５０と接触して、それ以外の部分（すなわち空芯側部分６１の内側に位置する部分）の外周は、コイル５０と接触しないようになっている。
【００５３】
これにより、サイドリード側チョークコイル３８は、従来のチョークコイルと比較して、コア型インダクタ５０のコイル５０ａと、磁性体コア５０ｂとの接触面積が小さくなる。
【００５４】
ところで、サイドリード側チョークコイル３８は、マグネトロン１の動作中、ワイヤに高周波電流が流れてコア型インダクタ５０及び空芯型インダクタ５１が発熱する。このとき、コイル５０ａ内に挿入されている磁性体コア５０ｂは、コイル５０ａと接触している部分からもコイル５０ａの熱が伝わって温度が上昇する。
【００５５】
ゆえに、本実施の形態のサイドリード側チョークコイル３８では、コイル５０ａと磁性体コア５０ｂとの接触面積を従来のチョークコイルよりも小さくすることで、従来のチョークコイルと比較して、コイル５０ａから磁性体コア５０ｂへの熱の伝わりを低減して温度上昇を抑制することができる。
【００５６】
さらに、本実施の形態のサイドリード側チョークコイル３８では、上述したように、磁性体コア５０ｂの温度上昇を抑制することができるので、インダクタンスの低下を抑制してノイズ特性機能の低減を抑制することができる。同様に、センターリード側チョークコイル３７も、磁性体コア４０ｂの温度上昇を抑制することができるので、インダクタンスの低下を抑制してノイズ特性機能の低減を抑制することができる。かくして、本実施の形態のチョークコイル３７、３８によれば、従来のチョークコイルと比較して、良好なノイズ抑制機能を得ることができる。
【００５７】
また一方で、フィルターボックス３にインバータ電源が接続されている場合、チョークコイル３７、３８のインダクタンスが低下すると、マグネトロン１のフィラメント電流が大きくなり、安定発振できなくなってしまう。そこで、本実施の形態では、チョークコイル３７、３８のインダクタンスの低下を抑制することで、マグネトロン１を安定発振させることができるようにもなっている。
【００５８】
尚、上述した実施の形態では、コア型インダクタ５０のコイル５０ａの端子側部分６０の内径を磁性体コア５０ｂの外径とほぼ等しくすると共に、空芯側部分６１の内径を磁性体コア５０ｂの外径より大きくした。つまり、コイル５０ａに挿入されている磁性体コア５０ｂに対して、端子側部分６０を接触させて固定すると共に、空芯側部分６１とは隙間を空けて熱の伝わりを抑制するようにした。
【００５９】
これとは逆に、端子側部分６０の内径を磁性体コア５０ｂの外径より大きくすると共に、空芯側部分６１の内径を磁性体コア５０ｂの外径と等しくして、コイル５０ａに挿入されている磁性体コア５０ｂに対して、空芯側部分６１を接触させて固定すると共に、端子側部分６０とは隙間を空けて熱の伝わりを抑制するようにしてもよい。
【００６０】
しかしながら、サイドリード側チョークコイル３８は、コア型インダクタ５０と空芯型インダクタ５１とを直列接続したものであり、空芯型インダクタ５１の空芯コイル５１ａも発熱する。
【００６１】
ゆえに、この空芯コイル５１ａよりもできるだけ距離が離れている部分、すなわち端子側部分６０で磁性体コア５０ａと接触するようにすることが、磁性体コア５０ａの温度上昇を低減させるうえでは望ましい。このような理由から、上述した実施の形態では、空芯コイル５１ａよりも距離が離れている端子側部分６０を磁性体コア５０ａと接触させて固定するようにした。
【００６２】
また、上述した実施の形態では、コイル５０ａ全体が１０巻き程度だとすると、端子側部分６０が３巻き程度、空芯側部分６１が７巻き程度だとした。つまり、端子側部分６０と空芯側部分６１との大きさの比率を３：７程度とした。これに限らず、この比率を変更してもよい。具体的には、磁性体コア５０ｂをより強固に固定したいのであれば、端子側部分６０の比率を大きくすればよく、また磁性体コア５０ｂへの熱の伝わりをより低減したいのであれば、空芯側部分６１の比率を大きくすればよい。
【００６３】
さらに、上述した実施の形態では、磁性体コア５０ｂの外周と空芯側部分６１との間にできる隙間の大きさを、コイル５０ａを構成しているワイヤの外径程度としたが、これに限らず、磁性体コア５０ｂに接触しない範囲で、隙間の大きさをワイヤの外径より狭くしてもよく、またワイヤの外径より広くしてもよい。尚、隙間の大きさをワイヤの外径より広くする場合、空芯側部分６１とフィルターボックス３との間の絶縁距離よりは短くすることが望ましい。
【００６４】
さらに、上述した実施の形態では、コア型インダクタ５０と直列接続される空芯型インダクタ５１のコイル５１ａの内径を、コア型インダクタ５０ａのコイル５０ａの空芯側部分６１の内径と等しくした。これに限らず、空芯型インダクタ５１のコイル５１ａの内径を、コア型インダクタ５０ａのコイル５０ａの空芯側部分６１の内径とは異なるようにしてもよい。例えば、空芯型インダクタ５１のコイル５１ａの内径を、コア型インダクタ５０ａのコイル５０ａの端子側部分６０の内径と等しくしてもよい。
【００６５】
さらに、上述した実施の形態では、センターリード側チョークコイル３７と、サイドリード側チョークコイル３８とを同一構成としたが、例えば、センターリード側チョークコイル３７と、サイドリード側チョークコイル３８とで、各々の磁性体コア４０ｂ、５０ｂの温度の上昇度合いが違うのであれば、異なる構成としてもよい。
【００６６】
具体的には、温度の上昇度合いが大きい方を、温度の上昇度合いが小さい方よりも、コア型インダクタンスのコイルの空芯側部分の内径が大きくなるようにして、すなわち磁性体コアと空芯側部分との隙間が大きくなるようにして、放熱効果をより大きくするようにしてもよい。
【００６７】
また、温度の上昇度合いが大きい方を、温度の上昇度合いが小さい方よりも、コア型インダクタンスのコイルに対する空芯側部分の比率が大きくなるようにして、すなわち磁性体コアと端子側部分との接触面性が小さくなるようにして、温度の伝わりをより低減させるようにしてもよい。
【００６８】
このように、センターリード側チョークコイル３７と、サイドリード側チョークコイル３８とで、コイルの空芯側部分の内径や、コイルの大きさに対する空芯側部分の大きさの比率などを変えるようにしてもよい。
【符号の説明】
【００６９】
１…………マグネトロン、３……フィルターボックス、３７……センターリード側チョークコイル、３８……サイドリード側チョークコイル、４０、５０……コア型インダクタ、４０ａ、５０ａ……コイル、４０ｂ、５０ｂ……磁性体コア、４１、５１……空芯型インダクタ、４１ａ、５１ａ………空芯コイル。
【図１】
2015191794.tif 000003
【図２】
2015191794.tif 000004
【図３】
2015191794.tif 000005
【図４】
2015191794.tif 000006
【手続補正書】
【提出日】平成26年3月31日(2014.3.31)
【手続補正１】
【補正対象書類名】明細書
【補正対象項目名】００１０
【補正方法】変更
【補正の内容】
【００１０】
そして、チョークコイルは、上述のように、磁性体コア１００ａの温度が上昇して磁性体コア１００ａの透磁率が変化する。透磁率の変化によりノイズ抑制機能が低減する。